(57)【要約】  【課題】小物を収納したケースの内周面の傷付きを可及的に防止して、耐久性に優れ、且つ意匠感に優れた小物収納用ケースを提供できるようにする。  【解決手段】  透明若しくは半透明の合成樹脂で上方が物品挿入口として開口する有底筒状に形成されたケース本体と、ケース本体の内周面に沿う状態に挿入された意匠部材とからなり、該意匠部材がクッション性又は／及び厚みを有する素材で形成するようにした。【選択図】図１
2005255195.tif 000002
【特許請求の範囲】
【請求項１】
透明若しくは半透明の合成樹脂で上方が物品挿入口として開口する有底筒状に形成されたケース本体と、ケース本体の内周面に沿う状態に挿入された意匠部材とからなり、該意匠部材がクッション性又は／及び厚みを有する素材で形成されたことを特徴とする小物収納用ケース。
【請求項２】
意匠部材を形成する素材が、紙または合成樹脂製シートを連続する波状に形成してなる請求項1に記載の小物収納用ケース。
【請求項３】
意匠部材を形成する素材が透明若しくは半透明である請求項１または請求項2に記載の小物収納用ケース。
【発明の詳細な説明】
【技術分野】
【０００１】
本発明は、アクセサリーや文房具、 ＭＤやＣＤ等の小物を収納するケースに関するものである。
【背景技術】
【０００２】
こうした小物を収納するケースは例えば透明な合成樹脂で上端が開口する箱状に形成され、この中に小物を収納するようにしている。
【特許文献１】特開平１−７８５１１号公報
【発明の開示】
【発明が解決しようとする課題】
【０００３】
ところが、こうしたものでは、例えばカッターや鋏などの金属製のものや硝子等の硬いものを収納すると、その角でケースの内面部分が傷付いてしまい、その傷が外から見えるために、見苦しくなり、耐久性に問題があった。
【０００４】
さらに、合成樹脂製のケースにこうした小物を、直接入れることから、小物を収納した状態でケースを搬送したり、移動させたりする時に、底部分で滑りやすく、こうした場合にも傷付き易く上記問題が顕著になる。
【０００５】
本発明は上記問題に鑑み提案されたもので、小物を収納したケースの内周面の傷付きを可及的に防止して、耐久性に優れ、且つ意匠感に優れた小物収納用ケースを提供できるようにすることを目的とするものである。
【課題を解決するための手段】
【０００６】
上記目的を達成する為に本発明にかかる小物収納ようケースは、透明若しくは半透明の合成樹脂で上方が物品挿入口として開口する有底筒状に形成されたケース本体と、ケース本体の内周面に沿う状態に挿入された意匠部材とからなり、該意匠部材がクッション性又は／及び厚みを有する素材で形成されたことを最も主要な特徴とするものである。
【０００７】
また、本発明にかかる小物収納用ケースでは、意匠部材を形成する素材が、紙または合成樹脂製シートを連続する波状に形成することや、意匠部材を形成する素材が透明若しくは半透明にすることも特徴とするものである。
【発明の効果】
【０００８】
本発明の小物収納用ケースは、ケース本体の内周面に沿う状態にクッション性又は／及び厚みを有する素材からなる意匠部材を挿入ようにしてあるので、この小物収納用ケースに例えばカッターや鋏などの金属製のものや硝子等の硬いものを収納した時に、その角部が接触する小物収納用ケースの内周面部分が傷付くのが防止される。これにより、小物収納用ケースの耐久性を大幅に向上させることができる利点がある。
【０００９】
また、小物収納用ケースに挿入された意匠部材で小物の目隠しにもなる。
意匠部材を形成する素材が、紙または合成樹脂製シートを連続する波状に形成してなるものでは、その波状により、小物収納用ケース内に収納された小物のずれ動きが防止され、小物収納用ケースの内周面部分が傷付くのが尚一層防止されるとともに、意匠部材のラインをケース本体の側壁部分から透視することができ、意匠感を向上させることができる利点もある。
【００１０】
加えて、意匠部材を形成する素材が透明若しくは半透明にしたものでは上記した小物収納用ケースの内周面部分が傷付くのを防止できる効果に加えて、内容物の確認ができ、小物収納用ケース内に埋没するような小物を収納する場合に至便なものとなる利点がある。
【発明を実施するための最良の形態】
【００１１】
以下、本発明にかかる小物収納用ケースの好ましい実施の形態を図面に基づいて説明する。
図１は小物収納用ケースの使用状態を示す斜視図であって、図中符号１は小物収納用ケースを全体的に示す。
この小物収納用ケース１は、ケース本体２とその内方に装着された意匠部材３とを備えてなる。
【００１２】
ケース本体２は、図１及び図２に示すように透明の合成樹脂で上方が物品挿入口４として開口する有底筒状の四角形に形成されており、底部５には設置用突起６が隅部の四箇所に突出形成されている。
この設置用突起６は、ケース本体２の底面５ａが直接設置面に当接して擦り傷等が発生するのを防止するとともに、ケース本体２が上下に積み重ねられた時に、物品挿入口４の隅部４ａに嵌合してずれ動きを防止する位置に形成されている。
【００１３】
上記意匠部材３は、フラットなクラフト紙７の片面にクラフト紙を連続波形にしたもの８を貼着してシート素材９を形成し、このシート素材９をその連続波形のライン１０が内外に現れるとともに、ケース本体２の内周面に内接する大きさの箱状に折りこんで形成したものである（図３参照）。
こうして形成された箱状の意匠部材３を、物品挿入口４の上方からケース本体２に挿入して装着すると、折りこまれたシート素材９の復元力あるいは波形の弾性力により、製作に多少の誤差がある場合でも、意匠部材３はケース本体の内周面に沿って当接した状態で装着されるので、外部からは連続波形のライン１０が視認できその意匠感が高められる。
【００１４】
上記のようにして形成された小物収納用ケース１は文房具入れとして使用する場合、図１に示すように物品挿入口４から鋏１１やシャープペンシル１２、ものさし１３等の文房具１４を小物収納用ケース１に入れて収納する。
斯くして小物収納用ケース１内に収納された文房具１４の各先端角部１１ａ、１２ａ、１３ａは図３に示すように底部５の意匠部材３に受け止められるので、当該部分でケース本体２の底部５が傷付くのが防止される。
また、小物収納用ケース１内に収納された文房具１４の各先端角部１１ａ、１２ａ、１３ａが連続波形のライン１０間に挟まれて保持された状態になり、ケース本体２を持ち運びしたり、動かしたりした時でも保持された状態が維持されるので、傷付くのが防止される。
【００１５】
尚、上記の形態ではケース本体を透明な合成樹脂で形成するようにしてあるが、こうしたものに限られず、半透明にすることもできる。
また、形状は上記のように四角形に限られず、三角はもとより５角形以上の多角形や円筒形や楕円、長円に形成することもできる。
さらに、意匠部材３はシート素材９を折りこんで箱状に形成したものに限られず、スポンジや軟質合成樹脂で形成することもできる。
その際にはその材質を着色透明若しくは着色半透明のものにすることもでき、こうした場合には消しゴムのように小物収納用ケース１内に隠れてしまう小さいものを収納した場合でも外から視認することができ、見失ったりすることがなくなる。
【図面の簡単な説明】
【００１６】
【図１】小物収納用ケースの使用状態を示す斜視図である。
【図２】小物収納用ケースの分解斜視図である。
【図３】小物収納用ケースの使用状態の部分拡大断面図である。
【符号の説明】
【００１７】
１・・・小物収納用ケース
２・・・ケース本体
３・・・意匠部材
４・・・物品挿入口
９・・・素材（シート状素材）
【図１】
2005255195.tif 000003
【図２】
2005255195.tif 000004
【図３】
2005255195.tif 000005